【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ダイナミックレンジに関する映像信号の情報を用い、複数のSOP 構造を使用してビットストリームを生成する映像符号化方法であって、
時間方向で、符号化対象の映像信号がSDR （Standard Dynamic Range）からHDR （High Dynamic Rang ）に切り替わるとき、または、HDR からSDR に切り替わるとき、前記ダイナミックレンジを切り替えるための前記ダイナミックレンジに関する映像信号の情報を伝送可能にするために、切り替わり後の先頭のSOP のSOP 構造をTemporal ID が０のピクチャだけで構成されるSOP 構造に設定し、
前記複数のSOP 構造は、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造を含む
ことを特徴とする映像符号化方法。
【請求項２】
ダイナミックレンジに関する映像信号の情報を用い、複数のSOP 構造を使用してビットストリームを生成する映像符号化装置であって、
時間方向で、符号化対象の映像信号がSDR （Standard Dynamic Range）からHDR （High Dynamic Rang ）に切り替わるとき、または、HDR からSDRに切り替わるとき、前記ダイナミックレンジを切り替えるための前記ダイナミックレンジに関する映像信号の情報を伝送可能にするために、切り替わり後の先頭のSOP のSOP 構造をTemporal ID が０のピクチャだけで構成されるSOP 構造に設定する符号化構造制御手段を備え、
前記符号化構造制御手段は、前記SOP 構造を設定する際に、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造から、前記SOP 構造を選定する
ことを特徴とする映像符号化装置。
【請求項３】
ダイナミックレンジに関する映像信号の情報を用い、複数のSOP 構造を使用してビットストリームを生成する映像符号化装置におけるコンピュータに、
時間方向で、符号化対象の映像信号がSDR （Standard Dynamic Range）からHDR （High Dynamic Rang ）に切り替わるとき、または、HDR からSDRに切り替わるとき、前記ダイナミックレンジを切り替えるための前記ダイナミックレンジに関する映像信号の情報を伝送可能にするために、切り替わり後の先頭のSOP のSOP 構造をTemporal ID が０のピクチャだけで構成されるSOP 構造に設定する処理を実行させ、
前記SOP 構造を設定する際に、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造から、前記SOP 構造を選定する処理を実行させる
ための映像符号化プログラム。
【請求項４】
請求項２に記載の映像符号化装置と、
音声信号を符号化する音声符号化部と、
前記映像符号化装置からのビットストリームと前記音声符号化部からのビットストリームとを多重化して出力する多重化部と
を備える映像システム。
【請求項５】
請求項２に記載の映像符号化装置から伝送されるビットストリームを復号する映像復号装置。
【手続補正２】
【補正対象書類名】明細書
【補正対象項目名】００１５
【補正方法】変更
【補正の内容】
【００１５】
本発明による映像符号化方法は、ダイナミックレンジに関する映像信号の情報を用い、複数のSOP 構造を使用する映像符号化方法であって、時間方向で、符号化対象の映像信号がSDRからHDRに切り替わるとき、または、HDR からSDR に切り替わるとき、ダイナミックレンジを切り替えるためのダイナミックレンジに関する映像信号の情報を伝送可能にするために、切り替わり後の先頭のSOP のSOP 構造をTemporal ID が０のピクチャだけで構成されるSOP 構造に設定し、複数のSOP 構造は、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造を含むことを特徴とする。
【手続補正３】
【補正対象書類名】明細書
【補正対象項目名】００１６
【補正方法】変更
【補正の内容】
【００１６】
本発明による映像符号化装置は、ダイナミックレンジに関する映像信号の情報を用い、複数のSOP 構造を使用する映像符号化装置であって、時間方向で、符号化対象の映像信号がSDRからHDRに切り替わるとき、または、HDR からSDRに切り替わるとき、ダイナミックレンジを切り替えるためのダイナミックレンジに関する映像信号の情報を伝送可能にするために、切り替わり後の先頭のSOP のSOP 構造をTemporal ID が０のピクチャだけで構成されるSOP 構造に設定する符号化構造制御手段を備え、符号化構造制御手段は、SOP 構造を設定する際に、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造から、SOP 構造を選定することを特徴とする。
【手続補正４】
【補正対象書類名】明細書
【補正対象項目名】００１７
【補正方法】変更
【補正の内容】
【００１７】
本発明による映像符号化プログラムは、ダイナミックレンジに関する映像信号の情報を用い、複数のSOP 構造を使用する映像符号化装置におけるコンピュータに、時間方向で、符号化対象の映像信号がSDR （Standard Dynamic Range）からHDR （High Dynamic Rang ）に切り替わるとき、または、HDR からSDRに切り替わるとき、ダイナミックレンジを切り替えるためのダイナミックレンジに関する映像信号の情報を伝送可能にするために、切り替わり後の先頭のSOP のSOP 構造をTemporal ID が０のピクチャだけで構成されるSOP 構造に設定する処理を実行させ、SOP 構造を設定する際に、Temporal ID が０のピクチャだけで構成されるSOP 構造、Temporal ID が０のピクチャまたは１のピクチャで構成されるSOP 構造、Temporal ID が０のピクチャ、１のピクチャまたは２のピクチャで構成されるSOP 構造、および、Temporal ID が０のピクチャ、１のピクチャ、２のピクチャまたは３のピクチャで構成されるSOP 構造から、SOP 構造を選定する処理を実行させることを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
本発明による映像システムは、上記の映像符号化装置と、音声信号を符号化する音声符号化部と、映像符号化装置からのビットストリームと音声符号化部からのビットストリームとを多重化して出力する多重化部とを備える。
本発明による映像復号装置は、上記の映像符号化装置から伝送されるビットストリームを復号することを特徴とする。